(57)【要約】【課題】  リモコン装置の操作ボタンに割り当てられた機能及び操作ボタンの有効／無効を容易に把握可能で、リモコン装置の操作性を向上できるディスク記録再生装置を提供する。【解決手段】  ディスク記録再生装置において、リモコン装置に関する情報を含むリモコン操作支援画面を表示させるリモコン操作支援手段を設け、リモコン操作支援手段は、リモコン装置又は装置本体に設けられた特定の操作ボタンが押圧されたときに、当該ディスク記録再生装置の動作状態に基づいてリモコン装置の複数の操作ボタンが有効か無効かを判断し、有効な操作ボタンの画像と無効な操作ボタンの画像をリモコン装置における複数の操作ボタンの配列に従って配置したリモコン操作支援画面を表示させるようにした。【選択図】  図２
2008052868.tif 000002
【特許請求の範囲】
【請求項１】
複数の操作ボタンを備えたリモコン装置と、
所定の表示手段に映像信号を画像として表示させるための表示制御手段と、
ディスク記録再生装置の動作状態に応じて、前記複数の操作ボタンにより実行させる機能の割り当てを設定可能であるとともに、前記リモコン装置により入力された操作信号に基づいて所定の機能を実行する制御手段と、
を備えたディスク記録再生装置であって、
前記表示制御手段は、前記リモコン装置又は装置本体に設けられた特定の操作ボタンが押圧されることに基づいて、当該リモコン装置に関する情報を含むリモコン操作支援画面を表示させるリモコン操作支援手段を有し、
前記リモコン操作支援手段は、当該ディスク記録再生装置の動作状態に基づいて前記複数の操作ボタンが有効か無効かを判断し、有効な操作ボタンの画像と前記有効な操作ボタンの画像とは異なる無効な操作ボタンの画像を前記リモコン装置における複数の操作ボタンの配列に従って配置した前記リモコン操作支援画面を前記表示手段に表示させるとともに、前記リモコン操作支援画面が表示された状態において、前記リモコン装置の操作ボタンが押圧された場合に、当該操作ボタンが有効な場合はその機能を示す文字情報を表示させ、無効な場合は無効である理由を示す文字情報を表示させ、
前記制御手段は、前記リモコン操作支援画面が表示された状態において、前記リモコン装置により所定の操作が行われた場合に、対応する機能を実行することを特徴とするディスク記録再生装置。
【請求項２】
複数の操作ボタンを備えたリモコン装置と、
所定の表示手段に映像信号を画像として表示させるための表示制御手段と、
ディスク記録再生装置の動作状態に応じて、前記複数の操作ボタンにより実行させる機能の割り当てを設定可能であるとともに、前記リモコン装置により入力された操作信号に基づいて所定の機能を実行させる制御手段と、
を備えたディスク記録再生装置であって、
前記リモコン装置又は装置本体に設けられた特定の操作ボタンが押圧されることに基づいて、当該リモコン装置に関する情報を含むリモコン操作支援画面を表示させるリモコン操作支援手段を有し、
前記リモコン操作支援手段は、当該ディスク記録再生装置の状態に基づいて前記複数の操作ボタンが有効か無効かを判断し、有効な操作ボタンの画像と前記有効な操作ボタンの画像とは異なる無効な操作ボタンの画像を、前記リモコン装置における複数の操作ボタンの配列に従って配置した前記リモコン操作支援画面を前記表示手段に表示させることを特徴とするディスク記録再生装置。
【請求項３】
前記リモコン操作支援手段は、前記リモコン操作支援画面が表示された状態において、前記リモコン装置の操作ボタンが押圧された場合に、当該操作ボタンが有効な場合はその機能を示す文字情報を前記リモコン操作支援画面内に表示させ、無効な場合は無効である理由を示す文字情報を前記リモコン操作支援画面内に表示させることを特徴とする請求項２に記載のディスク記録再生装置。
【請求項４】
前記制御手段は、前記リモコン操作支援画面が表示された状態において、前記リモコン装置により所定の操作が行われた場合に、対応する機能を実行することを特徴とする請求項２又は３に記載のディスク記録再生装置。
【請求項５】
前記リモコン操作支援手段は、前記装置本体に設けられた特定の操作ボタンが押圧された場合、前記リモコン操作支援画面を表示させるとともに、有効な操作ボタン画像を移動可能なカーソル画像を表示させ、
前記制御手段は、装置本体に設けられた入力手段により前記カーソル画像を移動させて選択された操作ボタンに割り当てられている機能を実行させることを特徴とする請求項２から４の何れかに記載のディスク記録再生装置。
【発明の詳細な説明】
【技術分野】
【０００１】
本発明は、リモコン装置を備えたＤＶＤプレイヤー／レコーダ等のディスク記録再生装置に関する。
【背景技術】
【０００２】
従来、ＤＶＤプレイヤー／レコーダ等のディスク記録再生装置は、複数の操作ボタンを有するリモコン装置を備えており、ＤＶＤ等のディスク状記憶媒体に記録されている情報の再生や、ディスク状記憶媒体への情報の記録等の各種操作をリモコン装置を用いて行うことができる。
【０００３】
一般に、リモコン装置には、複数の操作ボタンのそれぞれに対応して、各操作ボタン自体又は空きスペースに操作ボタンの名称が表示されている。通常、視聴者は、各操作ボタンの名称を見ながら各操作ボタンを押圧することにより所望の操作を行うこととなる。
【０００４】
また、多様化するディスク記録再生装置の機能をリモコン装置で操作できるようにするため、リモコン装置には多数の操作ボタンが設けられている。しかしながら、リモコン装置に配置された操作ボタンの数は有限であり、ディスク記録再生装置のすべての機能に対応して操作ボタンを設けることは困難である。そこで、一つの操作ボタンに複数の機能を割り当て、ディスク記録再生装置の動作状態に応じて操作ボタンにより実行される機能が変更されるようにしている。
【０００５】
例えば、再生状態ではサーチ機能が割り当てられている操作ボタンに、編集状態ではページ送り機能が割り当てられる場合等がある。このように、ディスク記録再生装置の動作状態に応じて複数の機能を実行可能な操作ボタンについては、頻繁に利用されると考えられる主要な機能が、その操作ボタンの名称として表示される。
【０００６】
また、リモコン装置の操作性を向上させるための技術としては、特許文献１，２がある。
【特許文献１】特開２００２−３３０３０７号公報
【特許文献２】特開２００５−２６９２４９号公報
【発明の開示】
【発明が解決しようとする課題】
【０００７】
上述したように、ディスク記録再生装置においては、動作状態に応じてリモコン装置の操作ボタンに異なる機能を割り当てるので、リモコン装置に表示されている操作ボタンの名称だけでは、その操作ボタンによる機能を把握することは困難である。
【０００８】
また、ディスク記録再生装置の動作状態に応じて、有効な操作ボタンと無効な操作ボタンは刻々と変化することとなるが、頻繁に利用しない操作ボタンについては、どの操作ボタンが有効で、どの操作ボタンが無効であるかをユーザが把握することは困難であり、実際に操作ボタンを押圧してみて初めて操作ボタンの有効／無効を認識することもある。
【０００９】
例えば、無効な操作ボタンが押圧された場合には、禁止マークが表示されるか、又は無反応なままとされていた。特に、無効な操作ボタンが押圧されたときに無反応なままにされると、ユーザはリモコン装置の故障やリモコン信号の送受信の不具合を疑う虞がある。
【００１０】
このように、ディスク記録再生装置の機能が多様化される一方で、リモコン装置による操作性は複雑になっているので、便利で多様な機能を十分に活用できていないのが現状である。
【００１１】
本発明は、リモコン装置の操作ボタンに割り当てられた機能及び操作ボタンの有効／無効を容易に把握可能で、リモコン装置の操作性を向上できるディスク記録再生装置を提供することを目的とする。
【課題を解決するための手段】
【００１２】
本発明は、上記目的を達成するためになされたもので、複数の操作ボタンを備えたリモコン装置と、所定の表示手段（例えば、外部接続されたテレビジョン受像機）に映像信号を画像として表示させるための表示制御手段と、ディスク記録再生装置の動作状態に応じて、前記複数の操作ボタンにより実行させる機能の割り当てを設定可能であるとともに、前記リモコン装置により入力された操作信号に基づいて所定の機能を実行する制御手段と、を備えたディスク記録再生装置であって、前記リモコン装置又は装置本体に設けられた特定の操作ボタン（例えば、ヘルプボタン）が押圧されることに基づいて、当該リモコン装置に関する情報を含むリモコン操作支援画面を表示させるリモコン操作支援手段を有し、前記リモコン操作支援手段は、当該ディスク記録再生装置の動作状態に基づいて前記複数の操作ボタンが有効か無効かを判断し、有効な操作ボタンの画像と前記有効な操作ボタンの画像とは異なる無効な操作ボタンの画像を前記リモコン装置における複数の操作ボタンの配列に従って配置した前記リモコン操作支援画面を前記表示手段に表示させることを特徴とする。
【００１３】
望ましくは、オンスクリーン表示を利用して、光ディスク等から読み出された映像信号に基づく画像にリモコン操作支援画面を重畳して表示させる。
【００１４】
また、前記リモコン操作支援手段は、前記リモコン操作支援画面が表示された状態において、前記リモコン装置の操作ボタンが押圧された場合に、当該操作ボタンが有効な場合はその機能を示す文字情報を前記リモコン操作支援画面内に表示させ、無効な場合は無効である理由を示す文字情報を前記リモコン操作支援画面内に表示させるようにした。
【００１５】
これにより、ディスク記録再生装置の動作状態（例えば、ＤＶＤビデオの再生状態や、記録された情報の編集状態）に応じて、リモコン装置の操作ボタンに割り当てられる機能が変更されても、ユーザはそれぞれの操作ボタンに割り当てられた機能を容易に知ることができる。また、無効な操作ボタンが押圧されたときには無効な理由が表示されるので、無効な操作ボタンが押圧されたときに無反応であってもリモコン装置の故障やリモコン信号の送受信の不具合を疑うことはなくなる。
【００１６】
さらに、前記制御手段は、前記リモコン操作支援画面が表示された状態において、前記リモコン装置により所定の操作（例えば、複数の操作ボタンのうちの何れかを所定時間押圧する）が行われた場合に、対応する機能を実行するようにした。
【００１７】
これにより、リモコン装置の複数の操作ボタンに対応する機能を確認しながら、所望の機能を実行させることができるので、リモコン装置の操作性が格段に向上する。
【００１８】
また、前記リモコン操作支援手段は、前記装置本体に設けられた特定の操作ボタンが押圧された場合、前記リモコン操作支援画面を表示させるとともに、有効な操作ボタン画像を移動可能なカーソル画像を表示させ、前記制御手段は、装置本体に設けられた入力手段により前記カーソル画像を移動させて選択された操作ボタンに割り当てられている機能を実行するようにした。
【００１９】
これにより、リモコン装置がなくても装置本体に設けられた入力手段により、所望の機能を容易に実行させることができる。また、通常、装置本体に設けられる入力手段の操作ボタンは、リモコン装置の操作ボタンよりも少なく、実行できる機能も制限されるが、本発明によりリモコン装置の操作ボタンにより実行できる機能と同等の機能を実行させることができるようになる。
【発明の効果】
【００２０】
本発明によれば、ディスク記録再生装置において、リモコン装置に関する情報を含むリモコン操作支援画面を表示させるリモコン操作支援手段を設け、リモコン操作支援手段は、リモコン装置又は装置本体に設けられた特定の操作ボタンが押圧されたときに、当該ディスク記録再生装置の動作状態に基づいてリモコン装置の複数の操作ボタンが有効か無効化を判断し、有効な操作ボタンの画像と無効な操作ボタンの画像をリモコン装置における複数の操作ボタンの配列に従って配置したリモコン操作支援画面を表示手段に表示させるようにしたので、ユーザはリモコン装置に配置された複数の操作ボタンの有効／無効を容易に把握することができる。
【００２１】
したがって、ディスク記録再生装置の動作状態に応じてリモコン装置の操作ボタンに割り当てられる機能が変更されても、これに起因して生じるリモコン装置の誤操作の問題を防止することができるので、リモコン装置の操作性が格段に向上する。
【発明を実施するための最良の形態】
【００２２】
以下、本発明の実施の形態について図面を参照して説明する。図１は、本発明に係るディスク記録再生装置の一実施形態としてのＤＶＤ（Digital Versatile Disc）プレイヤー／レコーダのブロック図である。
【００２３】
本実施形態のＤＶＤプレイヤー／レコーダ１００は、制御部１０と、チューナブロック２０と、入力部２１と、リモコン信号受信部２２と、リモコン装置２３と、ＤＶＤドライブ２４と、ＡＶエンコーダ２５と、エンコード用メモリ２６と、音声信号処理部２７と、映像信号処理部２８と、映像信号合成部２９と、ＯＳＤ（オンスクリーンディスプレイ）生成部３０と、を備えて構成されており、各ブロックはバス４０を介してそれぞれ電気的に接続されている。
【００２４】
チューナブロック２０は、アンテナを介して所望のチャンネルに対応するディジタル／アナログテレビジョン放送信号を受信するとともに、ディジタルテレビジョン放送信号をディジタル映像データおよびディジタル音声データに分離する。
【００２５】
入力部２１は、ＤＶＤプレイヤー／レコーダ１００の前面パネルに設けられる各種操作ボタンである。また、リモコン信号受信部２２は、複数の操作ボタンが配置されたリモコン装置２３からのリモコン信号（赤外線信号）を受信し、制御部１０に供給する。
【００２６】
ＤＶＤドライブ２４は、ディスク状記憶媒体としての光ディスク（例えば、ＤＶＤビデオやＤＶＤ−Ｒ、ＤＶＤ−ＲＷ）にディジタル映像音声データを記録したり、光ディスクに記録されている映像音声データを再生したりする。
【００２７】
ＡＶエンコーダ２５は、音声処理部２７で復号化されたディジタル音声データ及び映像信号処理部２８で復号化されたディジタル映像データを、ＤＶＤドライブ２４に装着された光ディスクに記録可能な所定形式のディジタル映像音声データ（ＡＶデータ）に変換する。このとき、作業領域としてエンコード用メモリ２６が使用される。
【００２８】
音声信号処理部２７は、チューナブロック２０でテレビジョン放送信号から分離されたディジタル音声信号或いはＤＶＤドライブに装着された光ディスクから読み出されたディジタル音声信号に対して、復号処理やサラウンド処理等の各種ディジタル音声処理を行う。そして、所定の音声信号に変換してＡＶアンプやスピーカ等の音声出力装置に出力する。
【００２９】
映像信号処理部２８は、チューナブロック２０でテレビジョン放送信号から分離されたディジタル映像信号或いはＤＶＤドライブに装着された光ディスクから読み出されたディジタル映像信号に対して復号化処理を行い、所定の映像信号に変換して後述の映像信号合成部２９に供給する。
【００３０】
映像信号合成部２９は、映像信号処理部２８からの映像信号と後述するＯＳＤ生成部３０からの映像信号を合成し、合成された映像信号を映像出力端子からＰＤＰ（Plasma Display Panel）、ＣＲＴ（Cathode Ray Tube）、ＬＣＤ（Liquid Crystal Display）などの表示手段に出力する。
【００３１】
ＯＳＤ生成部３０は、リモコン装置２３に関する情報を含むリモコン操作支援画面を表示させるための映像信号を映像信号合成部２９に供給する。
【００３２】
これらの映像信号処理部２８、映像信号合成部、ＯＳＤ生成部３０と、後述する制御部１０により、表示手段に画像を表示させるための表示制御手段が構成される。
【００３３】
制御部１０は、各部の制御および所定の演算を行いＤＶＤプレイヤー／レコーダ１００の動作を制御するＣＰＵ１１と、ＣＰＵ１１の作業用メモリとして用いられるＲＡＭ１２と、ＣＰＵ１１で実行される制御用プログラム等が記録されたＲＯＭ１３と、で構成される。
【００３４】
上述したＤＶＤプレイヤー／レコーダ１００において、チューナブロック２０で受信したテレビジョン放送信号を光ディスクに記録する場合は、ユーザによる録画操作に基づいて、制御部１０が録画処理のための制御手順を実行する。これにより、チューナブロック２０で受信したテレビジョン放送信号は所定形式のディジタル映像音声信号に変換され光ディスクに記録される。
【００３５】
一方、光ディスクに記録されている番組を再生する場合は、光ディスクに記録されている番組に関する情報（例えばタイトル情報）の一覧をＴＶモニタの画面にリスト形式で表示（メインメニュー）させて、ユーザによる番組選択・再生操作に基づいて、制御部１０が再生処理のための制御手順を実行する。これにより、光ディスクに記録されたディジタル映像音声データが制御部１０により読み出され、表示手段に再生映像が表示される。
【００３６】
このような光ディスクへの記録状態（編集状態を含む）や、光ディスクの再生状態等、ＤＶＤプレイヤー／レコーダ１００の動作状態に応じて、制御部１０は、リモコン装置２３の操作ボタンにより実行させる機能の割り当てを変更する。また、リモコン装置２３により入力された操作信号に基づいて、制御部１０は、現在割り当てられている機能を実行する。
【００３７】
また、制御部１０は、リモコン装置２３又は入力部２１に設けられた特定の操作ボタン（例えば、ヘルプボタン）が押圧されることに基づいて、当該リモコン装置に関する情報を含むリモコン操作支援画面を表示手段に表示させるリモコン操作支援手段として機能する。例えば、このリモコン操作支援画面のデータは、ＯＳＤ生成部３０により生成される。
【００３８】
図２は、テレビジョン受像機等の表示手段に表示させたリモコン操作支援画面５０の表示例である。
リモコン操作支援画面５０は、リモコン装置２３を示す画像６０と、文字情報（例えば、操作ボタンの説明等）を表示する文字情報表示枠７０と、を有する。リモコン装置画像６０では、実際のリモコン装置２３における配列に従って操作ボタン画像６１，６２が配置されている。
【００３９】
ここで、図２中、斜線を施された操作ボタン画像６１は有効な操作ボタンであることを示し、白抜きの操作ボタン画像６２は無効な操作ボタンであることを示している。なお、有効な操作ボタンとは、現在のＤＶＤプレイヤー／レコーダの動作状態において実行可能な機能を割り当てられた操作ボタンで、無効な操作ボタンとは、現在の動作状態において実行不能（無反応）な機能を割り当てられた操作ボタンであることを意味する。また、現在の動作状態においてどの操作ボタンが有効で、どの操作ボタンが無効であるかは、リモコン操作支援手段としての制御部１０によって判断される。
【００４０】
このように、リモコン操作支援画面５０では、現在のＤＶＤプレイヤー／レコーダ１００の動作状態において、有効な操作ボタンと無効な操作ボタンが区別できるように表示されているので、ユーザは操作ボタンの有効／無効を容易に把握することができる。
【００４１】
図３は、本実施形態のＤＶＤプレイヤー／レコーダ１００において実行されるリモコン操作支援処理について示したフローチャートである。具体的には、リモコン操作支援手段としての制御部１０によって実行される。
まず、リモコン装置２３又は入力部２１に設けられた特定の操作ボタン（例えば、ヘルプボタン）が操作されたか判定する（ステップＳ１０１）。
【００４２】
次いで、ステップＳ１０１でヘルプボタンが操作されたと判定した場合は、リモコン操作支援画面（図２参照）を表示する（ステップＳ１０２）。例えば、ＯＳＤ生成部３０で生成されたリモコン操作支援画面を、光ディスクから読み出された映像信号に基づく画像に重畳して表示する。一方、ステップＳ１０１でヘルプボタンが操作されていないと判定した場合は、ステップＳ１０１の処理を繰り返す（リモコン操作支援処理を終了させるようにしてもよい）。
【００４３】
次いで、このリモコン操作支援画面が表示された状態において、リモコン装置２３の任意の操作ボタンが操作されたか判定する（ステップＳ１０３）。そして、ステップＳ１０３でリモコン装置２３の操作ボタンが操作されたと判定した場合はステップＳ１０４に移行し、リモコン装置２３の操作ボタンが操作されていないと判定した場合はステップＳ１０７に移行する。
【００４４】
ステップＳ１０４では、当該操作ボタンが有効な操作ボタンであるか判定する。つまり、図２のリモコン操作支援画面５０において、斜線の施された操作ボタン画像に対応する操作ボタンが操作されたか、白抜きの操作ボタン画像に対応する操作ボタンが操作されたかを判定する。
【００４５】
そして、ステップＳ１０４で有効な操作ボタンであると判定した場合は、この操作ボタンによって実行される機能を図２中の文字情報表示枠７０に表示する（ステップＳ１０５）。一方、ステップＳ１０４で有効な操作ボタンでないと判定した場合は、当該操作ボタンが無効となっている理由を図２中の文字情報表示枠７０に表示する（ステップＳ１０６）。
【００４６】
次いで、ステップＳ１０７で、リモコン操作支援画面が表示されてから所定時間経過したか判定する。そして、ステップＳ１０７で所定時間経過したと判定した場合は、リモコン操作支援画面を消去し（ステップＳ１０８）、処理を終了する。一方、ステップＳ１０７で所定時間経過していないと判定した場合は、ステップＳ１０３に移行し、処理を継続する。
【００４７】
本実施形態では、リモコン操作支援画面５０が表示された状態において、リモコン装置２３の任意の操作ボタンが押圧された場合に、当該操作ボタンが有効な場合はその機能を示す文字情報を文字情報表示枠５０に表示させ、無効な場合は無効である理由を示す文字情報を文字情報表示枠５０に表示させるようにしている。
【００４８】
これにより、ＤＶＤプレイヤー／レコーダ１００においては、動作状態に応じてリモコン装置２３の操作ボタンに割り当てられる機能が変更されるが、ユーザはリモコン操作支援画面５０により操作ボタンの有効／無効を容易に把握できる上、それぞれの操作ボタンに割り当てられた機能を容易に知ることができる。また、無効な操作ボタンが押圧されたときには無効な理由が表示されるので、無効な操作ボタンが押圧されたときに無反応であってもリモコン装置の故障やリモコン信号の送受信の不具合を疑うことはなくなる。
【００４９】
以上、本発明者によってなされた発明を実施形態に基づいて具体的に説明したが、本発明は上記実施形態に限定されるものではなく、その要旨を逸脱しない範囲で変更可能である。
【００５０】
例えば、リモコン操作支援画面が表示された状態において、リモコン装置により所定の操作が行われた場合に、対応する機能を実行させるようにしてもよい。例えば、複数の操作ボタンのうちの何れか（有効な操作ボタン）が所定時間押圧された場合に、当該操作ボタンに割り当てられている機能が実行されるようにする。
【００５１】
これにより、リモコン装置の複数の操作ボタンに対応する機能をリモコン操作支援画面で確認しながら、所望の機能を実行させることができるので、リモコン装置の操作性が格段に向上する。
【００５２】
また、装置本体に設けられた入力部２１に配置された特定の操作ボタン（ヘルプボタン）が押圧された場合には、上記実施形態のリモコン操作支援画面とは異なるリモコン操作支援画面を表示させるようにしてもよい。例えば、図２に示すリモコン操作支援画面５０を表示させるとともに、入力部２１の操作ボタンの操作に応じて有効な操作ボタン画像を移動可能なカーソル画像を表示させる。そして、入力部２１の操作ボタンによりカーソル画像を移動させて、所望の操作ボタンが選択された場合に、当該操作ボタンに割り当てられている機能が実行されるようにする。
【００５３】
このようにすれば、リモコン装置２３がなくても装置本体に設けられた入力部２１により、所望の機能を容易に実行させることができる。また、通常、装置本体に設けられる入力部２１の操作ボタンは、リモコン装置の操作ボタンよりも少なく、実行できる機能も制限されるが、リモコン装置２３の操作ボタンにより実行できる機能と同等の機能を実行させることができるようになる。
【００５４】
また、上記実施形態では、リモコン操作支援画面を表示してから所定時間経過した後に当該画面を消去するようにしているが、再度ヘルプボタンを押圧された場合、或いは操作ボタンが所定時間継続して操作されなかった場合に当該画面を消去するようにしてもよい。
【００５５】
また、本発明は、ＤＶＤプレイヤー／レコーダのように、動作状態に応じてリモコン装置の操作ボタンに割り当てられる機能が変化するような機器に適用して有効であるが、リモコン装置により動作を制御可能なＡＶ機器全般に利用することができる。
【図面の簡単な説明】
【００５６】
【図１】本発明に係るディスク記録再生装置の一実施形態としてのＤＶＤ（Digital Versatile Disc）プレイヤー／レコーダのブロック図である。
【図２】テレビジョン受像機等の表示手段に表示させたリモコン操作支援画面５０の表示例である。
【図３】本実施形態のＤＶＤプレイヤー／レコーダ１００において実行されるリモコン操作支援処理について示したフローチャートである。
【符号の説明】
【００５７】
５０  リモコン操作支援画面
６０  リモコン装置画像
６１  有効な操作ボタン画像
６２  無効な操作ボタン画像
７０  文字情報表示枠
【図１】
2008052868.tif 000003
【図２】
2008052868.tif 000004
【図３】
2008052868.tif 000005